(57)【特許請求の範囲】
【請求項１】
上面を有する光透過性の第１電極と、
前記上面の上に設けられた有機発光層と、
前記有機発光層の上に設けられた光反射性の第２電極であって、
前記上面に対して平行な第１方向に延び、前記上面に対して平行で前記第１方向に対して交差する第２方向に並ぶ複数の第１延在部と、
前記第２方向に延び、前記第１方向に並び、前記複数の第１延在部のそれぞれと交差する複数の第２延在部と、
を含む第２電極と、
を備え、
前記複数の第１延在部のそれぞれの前記第２方向の長さをＷ１（マイクロメートル）とし、
前記複数の第１延在部のそれぞれのピッチをＰ１（マイクロメートル）とし、
前記複数の第２延在部のそれぞれの前記第１方向の長さをＷ２（マイクロメートル）とし、
前記複数の第２延在部のそれぞれのピッチをＰ２（マイクロメートル）とするとき、
前記Ｗ１と前記Ｐ１とが、Ｗ１≦−７５０（１−Ｗ１／Ｐ１）（１−Ｗ２／Ｐ２）＋６７５の関係を満たし、
前記Ｗ２と前記Ｐ２とが、Ｗ２≦−７５０（１−Ｗ１／Ｐ１）（１−Ｗ２／Ｐ２）＋６７５の関係を満たし、
（１−Ｗ１／Ｐ１）（１−Ｗ２／Ｐ２）は、０．５５以上０．８０以下であり、
前記Ｗ１及び前記Ｗ２は、７５μｍ以上２２５μｍ以下である有機電界発光素子。
【請求項２】
前記第１電極と前記有機発光層との間に設けられた光反射性の配線層であって、
前記第１方向に延び前記第２方向に並ぶ複数の第１配線部と、
前記第２方向に延び前記第１方向に並び前記複数の第１配線部のそれぞれと交差する複数の第２配線部と、
を含む配線層をさらに備え、
前記Ｗ１は、前記複数の第１延在部のそれぞれの前記第２方向の長さ、及び、前記複数の第１配線部のそれぞれの前記第２方向の長さであり、
前記Ｗ２は、前記複数の第２延在部のそれぞれの前記第１方向の長さ、及び、前記複数の第２配線部のそれぞれの前記第１方向の長さであり、
前記Ｐ１は、前記上面に対して平行な平面に投影したときの前記複数の第１延在部のそれぞれの投影像及び前記複数の第１配線部のそれぞれの投影像のそれぞれのピッチであり、
前記Ｐ２は、前記平面に投影したときの前記複数の第２延在部のそれぞれの投影像及び前記複数の第２配線部のそれぞれの投影像のそれぞれのピッチであり、
前記複数の第１延在部のそれぞれ及び前記複数の第１配線部のそれぞれが、Ｗ１≦−７５０（１−Ｗ１／Ｐ１）（１−Ｗ２／Ｐ２）＋６７５の関係を満たし、
前記複数の第２延在部のそれぞれ及び前記複数の第２配線部のそれぞれが、Ｗ２≦−７５０（１−Ｗ１／Ｐ１）（１−Ｗ２／Ｐ２）＋６７５の関係を満たす請求項１記載の有機電界発光素子。
【請求項３】
上面を有する光透過性の第１電極と、
前記第１電極の上に設けられた有機発光層と、
前記有機発光層の上に設けられた光透過性の第２電極と、
前記第１電極と前記有機発光層との間に設けられた光反射性の第１配線層であって、
前記第１方向に延び前記第２方向に並ぶ複数の第１配線部と、
前記第２方向に延び前記第１方向に並び前記複数の第１配線部のそれぞれと交差する複数の第２配線部と、
を含む第１配線層と、
を備え、
前記複数の第１配線部のそれぞれの前記第２方向の長さをＷ１（マイクロメートル）とし、
前記複数の第１配線部のそれぞれのピッチをＰ１（マイクロメートル）とし、
前記複数の第２配線部のそれぞれの前記第１方向の長さをＷ２（マイクロメートル）とし、
前記複数の第２配線部のそれぞれのピッチをＰ２（マイクロメートル）とするとき、
前記Ｗ１と前記Ｐ１とが、Ｗ１≦−７５０（１−Ｗ１／Ｐ１）（１−Ｗ２／Ｐ２）＋６７５の関係を満たし、
前記Ｗ２と前記Ｐ２とが、Ｗ２≦−７５０（１−Ｗ１／Ｐ１）（１−Ｗ２／Ｐ２）＋６７５の関係を満たし、
（１−Ｗ１／Ｐ１）（１−Ｗ２／Ｐ２）は、０．５５以上０．８０以下であり、
前記Ｗ１及び前記Ｗ２は、７５μｍ以上２２５μｍ以下である有機電界発光素子。
【請求項４】
前記第２電極の上に設けられた光反射性の第２配線層であって、
前記第１方向に延び前記第２方向に並ぶ複数の第３配線部と、
前記第２方向に延び前記第１方向に並び前記複数の第３配線部のそれぞれと交差する複数の第４配線部と、
を含む第２配線層をさらに備え、
前記Ｗ１は、前記複数の第１配線部のそれぞれの前記第２方向の長さ、及び、前記複数の第３配線部のそれぞれの前記第２方向の長さであり、
前記Ｗ２は、前記複数の第２配線部のそれぞれの前記第１方向の長さ、及び、前記複数の第４配線部のそれぞれの前記第１方向の長さであり、
前記Ｐ１は、前記上面に対して平行な平面に投影したときの前記複数の第１配線部のそれぞれの投影像及び前記複数の第３配線部のそれぞれの投影像のそれぞれのピッチであり、
前記Ｐ２は、前記平面に投影したときの前記複数の第２配線部のそれぞれの投影像及び前記複数の第４配線部のそれぞれの投影像のそれぞれのピッチであり、
前記複数の第１配線部のそれぞれ及び前記複数の第３配線部のそれぞれが、Ｗ１≦−７５０（１−Ｗ１／Ｐ１）（１−Ｗ２／Ｐ２）＋６７５の関係を満たし、
前記複数の第２配線部のそれぞれ及び前記複数の第４配線部のそれぞれが、Ｗ２≦−７５０（１−Ｗ１／Ｐ１）（１−Ｗ２／Ｐ２）＋６７５の関係を満たす請求項３記載の有機電界発光素子。
【請求項５】
上面を有する光透過性の第１電極と、
前記第１電極の上に設けられた有機発光層と、
前記有機発光層の上に設けられた光透過性の第２電極と、
前記第２電極の上に設けられた光反射性の配線層であって、
前記第１方向に延び前記第２方向に並ぶ複数の第１配線部と、
前記第２方向に延び前記第１方向に並び前記複数の第１配線部のそれぞれと交差する複数の第２配線部と、
を含む第１配線層と、
を備え、
前記複数の第１配線部のそれぞれの前記第２方向の長さをＷ１（マイクロメートル）とし、
前記複数の第１配線部のそれぞれのピッチをＰ１（マイクロメートル）とし、
前記複数の第２配線部のそれぞれの前記第１方向の長さをＷ２（マイクロメートル）とし、
前記複数の第２配線部のそれぞれのピッチをＰ２（マイクロメートル）とするとき、
前記Ｗ１と前記Ｐ１とが、Ｗ１≦−７５０（１−Ｗ１／Ｐ１）（１−Ｗ２／Ｐ２）＋６７５の関係を満たし、
前記Ｗ２と前記Ｐ２とが、Ｗ２≦−７５０（１−Ｗ１／Ｐ１）（１−Ｗ２／Ｐ２）＋６７５の関係を満たし、
（１−Ｗ１／Ｐ１）（１−Ｗ２／Ｐ２）は、０．５５以上０．８０以下であり、
前記Ｗ１及び前記Ｗ２は、７５μｍ以上２２５μｍ以下である有機電界発光素子。
【請求項６】
上面を有する光透過性の第１電極と、
前記上面の上に設けられた有機発光層と、
前記有機発光層の上に設けられた光反射性の第２電極であって、
前記上面に対して平行な第１方向に延び、前記上面に対して平行で前記第１方向に対して交差する第２方向に並ぶ複数の第１延在部と、
前記第２方向に延び、前記第１方向に並び、前記複数の第１延在部のそれぞれと交差する複数の第２延在部と、
を含む第２電極と、
を備え、
前記複数の第１延在部のそれぞれの前記第２方向の長さをＷ１（マイクロメートル）とし、
前記複数の第１延在部のそれぞれのピッチをＰ１（マイクロメートル）とし、
前記複数の第２延在部のそれぞれの前記第１方向の長さをＷ２（マイクロメートル）とし、
前記複数の第２延在部のそれぞれのピッチをＰ２（マイクロメートル）とし、
前記Ｗ１と前記Ｗ２とが異なる値のとき、
前記Ｗ１、前記Ｗ２、前記Ｐ１および前記Ｐ２が、ｍａｘ(Ｗ１,Ｗ２)≦−７５０×(１−ｍａｘ(Ｗ１/Ｐ１,Ｗ２/Ｐ２))２＋６７５の関係を満たし、
(１−ｍａｘ(Ｗ１/Ｐ１,Ｗ２/Ｐ２))２は、０．５５以上０．８０以下であり、
前記Ｗ１及び前記Ｗ２は、７５μｍ以上２２５μｍ以下である有機電界発光素子。
【請求項７】
上面を有する光透過性の第１電極と、
前記第１電極の上に設けられた有機発光層と、
前記有機発光層の上に設けられた光透過性の第２電極と、
前記第１電極と前記有機発光層との間に設けられた光反射性の第１配線層であって、
前記第１方向に延び前記第２方向に並ぶ複数の第１配線部と、
前記第２方向に延び前記第１方向に並び前記複数の第１配線部のそれぞれと交差する複数の第２配線部と、
を含む第１配線層と、
を備え、
前記複数の第１配線部のそれぞれの前記第２方向の長さをＷ１（マイクロメートル）とし、
前記複数の第１配線部のそれぞれのピッチをＰ１（マイクロメートル）とし、
前記複数の第２配線部のそれぞれの前記第１方向の長さをＷ２（マイクロメートル）とし、
前記複数の第２配線部のそれぞれのピッチをＰ２（マイクロメートル）とし、
前記Ｗ１と前記Ｗ２とが異なる値のとき、
前記Ｗ１、前記Ｗ２、前記Ｐ１および前記Ｐ２が、ｍａｘ(Ｗ１,Ｗ２)≦−７５０×(１−ｍａｘ(Ｗ１/Ｐ１,Ｗ２/Ｐ２))２＋６７５の関係を満たし、
(１−ｍａｘ(Ｗ１/Ｐ１,Ｗ２/Ｐ２))２は、０．５５以上０．８０以下であり、
前記Ｗ１及び前記Ｗ２は、７５μｍ以上２２５μｍ以下である有機電界発光素子。
【請求項８】
上面を有する光透過性の第１電極と、
前記第１電極の上に設けられた有機発光層と、
前記有機発光層の上に設けられた光透過性の第２電極と、
前記第２電極の上に設けられた光反射性の配線層であって、
前記第１方向に延び前記第２方向に並ぶ複数の第１配線部と、
前記第２方向に延び前記第１方向に並び前記複数の第１配線部のそれぞれと交差する複数の第２配線部と、
を含む第１配線層と、
を備え、
前記複数の第１配線部のそれぞれの前記第２方向の長さをＷ１（マイクロメートル）とし、
前記複数の第１配線部のそれぞれのピッチをＰ１（マイクロメートル）とし、
前記複数の第２配線部のそれぞれの前記第１方向の長さをＷ２（マイクロメートル）とし、
前記複数の第２配線部のそれぞれのピッチをＰ２（マイクロメートル）とし、
前記Ｗ１と前記Ｗ２が異なる値のとき、
前記Ｗ１、前記Ｗ２、前記Ｐ１および前記Ｐ２が、ｍａｘ(Ｗ１,Ｗ２)≦−７５０×(１−ｍａｘ(Ｗ１/Ｐ１,Ｗ２/Ｐ２))２＋６７５の関係を満たし、
(１−ｍａｘ(Ｗ１/Ｐ１,Ｗ２/Ｐ２))２は、０．５５以上０．８０以下であり、
前記Ｗ１及び前記Ｗ２は、７５μｍ以上２２５μｍ以下である有機電界発光素子。
【請求項９】
請求項１〜８のいずれか１つに記載の有機電界発光素子と、
前記第１電極と前記第２電極とに電気的に接続され、前記第１電極及び前記第２電極を介して前記有機発光層に電流を供給する電源部と、
を備えた照明装置。
【請求項１０】
請求項１〜８のいずれか１つに記載の複数の有機電界発光素子と、
前記複数の有機電界発光素子のそれぞれと電気的に接続され、前記複数の有機電界発光素子のそれぞれの点灯・消灯を制御する制御部と、
を備えた照明システム。
【発明の詳細な説明】
【技術分野】
【０００１】
本発明の実施形態は、有機電界発光素子、照明装置及び照明システムに関する。
【背景技術】
【０００２】
光透過性の第１電極と、第２電極と、第１電極と第２電極との間に設けられた有機発光層と、を含む有機電界発光素子がある。有機電界発光素子を光源として用いた照明装置がある。複数の有機電界発光素子と、これら複数の有機電界発光素子の点灯及び消灯を制御する制御部と、を含む照明システムがある。有機電界発光素子では、複数の開口が設けられた細線状の第２電極や、光透過性の第２電極を用いることにより、光透過性を持たせることが行われている。こうした有機電界発光素子において、透過像の視認性の向上が望まれる。
【先行技術文献】
【特許文献】
【０００３】
【特許文献１】特開２０１１−２４９５４１号公報
【発明の概要】
【発明が解決しようとする課題】
【０００４】
本発明の実施形態は、透過像の視認性の高い有機電界発光素子、照明装置及び照明システムを提供する。
【課題を解決するための手段】
【０００５】
本発明の実施形態によれば、第１電極と、有機発光層と、第２電極と、を備えた有機電界発光素子が提供される。前記第１電極は、上面を有し、光透過性である。前記有機発光層は、前記上面の上に設けられる。前記第２電極は、前記有機発光層の上に設けられ、光反射性である。前記第２電極は、複数の第１延在部と、複数の第２延在部と、を含む。前記複数の第１延在部は、前記上面に対して平行な第１方向に延び、前記上面に対して平行で前記第１方向に対して交差する第２方向に並ぶ。前記複数の第２電極は、前記第２方向に延び、前記第１方向に並び、前記複数の第１延在部のそれぞれと交差する。前記複数の第１延在部のそれぞれの前記第２方向の長さをＷ１（マイクロメートル）とする。前記複数の第１延在部のそれぞれのピッチをＰ１（マイクロメートル）とする。前記複数の第２延在部のそれぞれの前記第１方向の長さをＷ２（マイクロメートル）とする。前記複数の第２延在部のそれぞれのピッチをＰ２（マイクロメートル）とする。前記Ｗ１と前記Ｐ１とは、Ｗ１≦−７５０（１−Ｗ１／Ｐ１）（１−Ｗ２／Ｐ２）＋６７５の関係を満たす。前記Ｗ２と前記Ｐ２とは、Ｗ２≦−７５０（１−Ｗ１／Ｐ１）（１−Ｗ２／Ｐ２）＋６７５の関係を満たす。（１−Ｗ１／Ｐ１）（１−Ｗ２／Ｐ２）は、０．５５以上０．８０以下である。前記Ｗ１及び前記Ｗ２は、７５μｍ以上２２５μｍ以下である。
【図面の簡単な説明】
【０００６】
【図１】図１（ａ）及び図１（ｂ）は、第１の実施形態に係る有機電界発光素子を表す模式図である。
【図２】図２（ａ）〜図２（ｄ）は、実験結果の一例を示す表である。
【図３】実験結果の一例を示すグラフ図である。
【図４】図４（ａ）〜図４（ｄ）は、実験結果の一例を示す表である。
【図５】図５（ａ）〜図５（ｃ）は、実験結果の一例を示すグラフ図である。
【図６】図６（ａ）及び図６（ｂ）は、第２電極の一例を表す模式的平面図である。
【図７】第１の実施形態に係る有機電界発光素子の一部を表す模式的断面図である。
【図８】図８（ａ）及び図８（ｂ）は、第１の実施形態に係る別の有機電界発光素子の一部を表す模式的平面図である。
【図９】第１の実施形態に係る別の有機電界発光素子を表す模式的断面図である。
【図１０】図１０（ａ）〜図１０（ｃ）は、第１の実施形態に係る別の有機電界発光素子を表す模式図である。
【図１１】図１１（ａ）及び図１１（ｂ）は、第１の実施形態に係る別の有機電界発光素子を表す模式図である。
【図１２】図１２（ａ）〜図１２（ｃ）は、第１の実施形態に係る別の有機電界発光素子を表す模式図である。
【図１３】図１３（ａ）及び図１３（ｂ）は、第１の実施形態に係る別の有機電界発光素子を表す模式図である。
【図１４】第１の実施形態に係る別の有機電界発光素子を表す模式的断面図である。
【図１５】第２の実施形態に係る照明装置を表す模式図である。
【図１６】図１６（ａ）及び図１６（ｂ）は、第３の実施形態に係る照明システムを表す模式図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施の形態）
図１（ａ）及び図１（ｂ）は、第１の実施形態に係る有機電界発光素子を表す模式図である。  
図１（ａ）は、模式的断面図であり、図１（ｂ）は、模式的平面図である。  
図１（ａ）は、図１（ｂ）のＡ１−Ａ２線断面図である。これらの図は、本実施形態に係る有機電界発光素子の一部を拡大して例示している。  
図１（ａ）及び図１（ｂ）に表したように、有機電界発光素子１１０は、積層体ＳＢを含む。積層体ＳＢは、第１電極１０と、第２電極２０と、有機発光層３０と、を含む。
【０００９】
第１電極１０は、上面１０ａを有する。第１電極１０は、光透過性を有する。第１電極１０は、例えば、透明電極である。
【００１０】
ここで、上面１０ａに対して垂直な方向をＺ軸方向とする。上面１０ａに対して平行な１つの方向をＸ軸方向とする。Ｘ軸方向及びＺ軸方向に対して垂直な方向をＹ軸方向とする。Ｘ軸方向及びＹ軸方向は、Ｚ軸方向に対して垂直な方向である。Ｚ軸方向は、第１電極１０の厚さ方向に相当する。
【００１１】
有機発光層３０は、第１電極１０の上面１０ａの上に設けられる。有機発光層３０は、例えば、光透過性を有する。有機発光層３０は、例えば、透明である。
【００１２】
第２電極２０は、有機発光層３０の上に設けられる。第２電極２０は、複数の第１延在部２１と、複数の第２延在部２２と、を含む。複数の第１延在部２１のそれぞれは、上面１０ａに対して平行な第１方向に延び、上面１０ａに対して平行で第１方向に対して交差する第２方向に並ぶ。複数の第２延在部２２のそれぞれは、第２方向に延び、第１方向に並び、複数の第１延在部２１のそれぞれと交差する。すなわち、第２電極２０を上面１０ａに対して平行な平面（Ｘ−Ｙ平面）に投影した形状は、実質的に格子状である。
【００１３】
この例では、複数の第１延在部２１のそれぞれが、Ｙ軸方向に延び、Ｘ軸方向に並ぶ。複数の第２延在部２２のそれぞれが、Ｘ軸方向に延び、Ｙ軸方向に並ぶ。この例では、Ｙ軸方向が、第１方向であり、Ｘ軸方向が、第２方向である。この例では、第２方向が、第１方向に対して実質的に垂直である。第２方向は、第１方向に対して交差する任意の方向でよい。以下では、Ｙ軸方向を第１方向とし、Ｘ軸方向を第２方向として説明を行う。
【００１４】
第２電極２０は、例えば、実質的に均一な厚さの薄膜である。すなわち、第１延在部２１と第２延在部２２との重なる部分の第２電極２０の厚さ（Ｚ軸方向の長さ）は、第１延在部２１と第２延在部２２との重ならない部分の第２電極２０の厚さ（第１延在部２１の厚さ、または、第２延在部２２の厚さ）と実質的に同じである。第１延在部２１と第２延在部２２との重なる部分の第２電極２０の厚さは、第１延在部２１と第２延在部２２との重ならない部分の第２電極２０の厚さと異なってもよい。例えば、各第１延在部２１をストライプ状に形成した後に、各第１延在部２１の上に、各第２延在部２２をストライプ状に形成する。これにより、例えば、第１延在部２１と第２延在部２２との重なる部分の第２電極２０の厚さが、第１延在部２１と第２延在部２２との重ならない部分の第２電極２０の厚さよりも厚くなってもよい。
【００１５】
第２電極２０は、例えば、複数の開口部２０ａを有する。複数の開口部２０ａのそれぞれは、Ｘ軸方向に並ぶとともに、Ｙ軸方向に並ぶ。すなわち、複数の開口部２０ａのそれぞれは、Ｘ軸方向及びＹ軸方向に二次元マトリクス状に並べられる。各開口部２０ａは、例えば、各第１延在部２１の間、及び、各第２延在部２２の間に配置される。各開口部２０ａは、例えば、Ｘ−Ｙ平面に投影したときに、各第１延在部２１及び各第２延在部２２によって囲まれる。すなわち、各開口部２０ａは、第２電極２０において、各第１延在部２１及び各第２延在部２２の存在していない部分である。開口部２０ａは、有機発光層３０の一部を露呈させる。複数の開口部２０ａのそれぞれによって、有機発光層３０の複数の部分が露呈される。
【００１６】
第２電極２０（第１延在部２１及び第２延在部２２）は、例えば、光反射性を有する。第２電極２０の光反射率は、第１電極１０の光反射率よりも高い。本願明細書においては、第１電極１０の光反射率よりも高い光反射率を有している状態を光反射性という。
【００１７】
有機発光層３０は、例えば、第１電極１０に接する。これにより、有機発光層３０が、第１電極１０と電気的に接続される。有機発光層３０は、第２電極２０と電気的に接続される。有機発光層３０は、例えば、複数の第１延在部２１及び複数の第２延在部２２のそれぞれに接する。これにより、有機発光層３０が、第２電極２０と電気的に接続される。なお、本願明細書において、「電気的に接続」には、直接接触する場合のほか、間に他の導電部材などが介在する場合も含む。
【００１８】
第１電極１０と第２電極２０とを用いて有機発光層３０に電流を流す。これにより、有機発光層３０が発光する。有機発光層３０は、例えば、電流が流れた場合に、電子と正孔とを再結合させ、励起子を生成する。有機発光層３０は、例えば、励起子が放射失活する際の光の放出を利用して発光する。
【００１９】
有機電界発光素子１１０では、有機発光層３０のうちの第１電極１０と第１延在部２１との間の部分、及び、第１電極１０と第２延在部２２との間の部分が、発光領域ＥＡとなる。発光領域ＥＡから発せられた発光ＥＬは、第１電極１０を介して、有機電界発光素子１１０の外部に出射する。発光ＥＬの一部は、第２電極２０で反射し、有機発光層３０及び第１電極１０を介して外部に出射する。すなわち、有機電界発光素子１１０は、片面発光型である。
【００２０】
また、有機電界発光素子１１０では、外部から入射する外光ＯＬが、第２電極２０の複数の開口部２０ａを介して、第１電極１０及び有機発光層３０を透過する。このように、有機電界発光素子１１０は、発光ＥＬを出射させつつ、外部から有機電界発光素子１１０に入射する外光ＯＬを透過させる。このように、有機電界発光素子１１０は、光透過性を有する。これにより、有機電界発光素子１１０では、有機電界発光素子１１０を介して、背景の像を視認できる。すなわち、有機電界発光素子１１０は、シースルー可能な薄膜状または板状の光源である。
【００２１】
このように、実施形態の有機電界発光素子１１０によれば、光透過性の有機電界発光素子を提供できる。この有機電界発光素子１１０を照明装置に応用した場合、照明機能の他に、背景像を透過させる機能により、種々の新たな応用が可能になる。
【００２２】
第１延在部２１の幅をＷ１とする。第２延在部２２の幅をＷ２とする。各第１延在部２１のピッチをＰ１とする。各第２延在部２２のピッチをＰ２とする。幅Ｗ１は、第１延在部２１のＸ軸方向の長さである。幅Ｗ２は、第２延在部２２のＹ軸方向の長さである。ピッチＰ１は、隣り合う２つの第１延在部２１のＸ軸方向の中心間の距離である。ピッチＰ２は、隣り合う２つの第２延在部２２のＹ軸方向の中心間の距離である。
【００２３】
本実施形態に係る有機電界発光素子１１０は、各第１延在部２１の幅Ｗ１、ピッチＰ１、及び、各第２延在部２２の幅Ｗ２、ピッチＰ２が、各第１延在部２１の幅Ｗ１及びピッチＰ１が、Ｗ１≦−７５０（１−Ｗ１／Ｐ１）（１−Ｗ２／Ｐ２）＋６７５の関係を満たし、かつ、各第２延在部２２の幅Ｗ２及びピッチＰ２が、Ｗ２≦−７５０（１−Ｗ１／Ｐ１）（１−Ｗ２／Ｐ２）＋６７５の関係を満たす。あるいは、幅Ｗ１と幅Ｗ２が異なる場合においては、ｍａｘ(Ｗ１,Ｗ２)≦−７５０×(１−ｍａｘ(Ｗ１/Ｐ１,Ｗ２/Ｐ２))２＋６７５の関係を満たす。これにより、透過像の視認性を高めることができる。
【００２４】
光透過性の有機電界発光素子では、第２電極２０を見え難くすることが求められている。例えば、光透過性の有機電界発光素子において、第２電極２０をストライプ状のパターン形状とする構成がある。すなわち、第２電極２０において、各第１延在部２１または各第２延在部２２の一方のみを含む構成がある。ストライプ状のパターン形状の第２電極２０において、第２電極２０を見え難くするためには、各延在部の幅を狭くする。しかしながら、各延在部の幅を狭くすると、発光領域の面積が縮小される。例えば、発光輝度が低下してしまう。このため、第２電極２０をストライプ状のパターン形状とした場合に、第２電極２０を見え難くしつつ、適切な発光輝度を得るためには、延在部の幅を狭くしつつ、各延在部のピッチを狭くする必要がある。しかしながら、ピッチを狭くすると、透過像の視認性が低下してしまう。例えば、透過像が、ぼやけてしまう。これは、例えば、光の回折に起因しているものと考えられる。
【００２５】
そこで、本願発明者らは、第２電極２０のパターン形状と、透過像の視認性の低下と、の関係性について実験を行った。具体的には、第２電極２０のパターン形状を格子状とした場合の、第２電極２０のパターン形状と、透過像の視認性の低下との関係性についての実験を行った。
【００２６】
本願発明者らは、まず、第２電極の２０の各第１延在部２１の幅Ｗ１、ピッチＰ１、及び、各第２延在部２２の幅Ｗ２、ピッチＰ２のそれぞれを変化させた複数の試料を作成し、各試料について第２電極２０が視認できるか否かを実験した。試料では、ガラス基板上に格子状の金属薄膜をパターニングした（以下、金属パターンと称す）。これにより、第２電極２０をＸ−Ｙ平面に投影したときの形状を模擬的に形成した。また、試料では、便宜的に、幅Ｗ１と幅Ｗ２とを実質的に同じとした。ピッチＰ１とピッチＰ２とを実質的に同じとした。すなわち、試料では、実質的に正方形状の複数の開口部２０ａを二次元マトリクス状に並べて配置した。
【００２７】
金属パターンに含まれる１つの金属線の幅をＷｓとする。幅Ｗｓは、第１延在部２１の幅Ｗ１及び第２延在部２２の幅Ｗ２に相当する。各金属線のピッチをＰｓとする。ピッチＰｓは、各第１延在部２１のピッチＰ１及び各第２延在部２２のピッチＰ２に相当する。実験では、幅Ｗｓの異なる複数の試料を用意した。そして、１つの幅Ｗｓについて、ピッチＰｓの異なる複数の試料を用意した。すなわち、開口率ＡＲ＝（１−Ｗｓ／Ｐｓ）２の異なる複数の試料を用意した。具体的には、幅Ｗｓは、５０μｍ、１００μｍ、１５０μｍ、２００μｍとした。そして、それぞれの幅Ｗｓについて、開口率ＡＲを、０．５５、０．６０、０．６５、０．７０、０．７５、０．８０、０．８５、０．９０とした。すなわち、実験では、幅Ｗｓについて４種類、開口率ＡＲについて８種類の、計３２種類の試料を用意した。
【００２８】
実験では、各試料のそれぞれについて、試料と被験者との間の距離Ｌ１を本実施形態に係る有機電界発光素子１１０の利用状況から想定される最短距離の１ｍとして評価を行った。すなわち、照明装置は一般的に試料から１ｍ以上離れた位置に設けられて用いられる。実験において、被験者は、一人である。被験者の視力は、１．５である。被験者は、試料の金属パターンの設けられた面に対して、ほぼ正対させた。実験において、背景は、均一な白色とした。
【００２９】
図２（ａ）〜図２（ｄ）は、実験結果の一例を示す表である。  
図２（ａ）は、金属線の幅Ｗｓを５０μｍとした各試料の評価結果を表す。図２（ｂ）は、金属線の幅Ｗｓを１００μｍとした各試料の評価結果を表す。図２（ｃ）は、金属線の幅Ｗｓを１５０μｍとした各試料の評価結果を表す。図２（ｄ）は、金属線の幅Ｗｓを２００μｍとした各試料の評価結果を表す。図２（ａ）〜図２（ｄ）では、金属線が視認できなかった試料に「○」を付し、視認できた試料に「×」を付している。
【００３０】
ここで、金属線（第１延在部２１及び第２延在部２２）が「視認できない」とは、人間の視覚によって完全に認識できないもののほか、例えば、隣り合う線の像と重なって１本の線として認識できない場合なども含む。すなわち、本願明細書において、「視認できない」とは、各金属線（第１延在部２１及び第２延在部２２）のパターン形状を実質的に認識できない状態である。
【００３１】
図３は、実験結果の一例を示すグラフ図である。  
図３では、図２（ａ）〜図２（ｄ）の各表の結果をまとめてプロットしている。なお、被験者の視力は１．５であるが、標準的な視力は１．０である。人間の視覚特性より配線の視認性は視角により定まるものであることから、図３のプロットでは標準的な視力１．０を想定して、金属線幅Ｗｓは図２（ａ）〜図２（ｄ）の値の１．５倍としている。開口率は比Ｗｓ／Ｐｓによるものなので不変である。
【００３２】
金属線（第１延在部２１及び第２延在部２２）の視認性は、金属線の幅Ｗｓ、または、金属線の間隔（Ｐｓ−Ｗｓ）だけでは決まらず、図３に表したように金属線の幅Ｗｓと陰極開口率ＡＲ＝（１−Ｗｓ／Ｐｓ）２の両方に依存する。図より、例えば、開口率ＡＲ＝０．９５では、金属線が視認できなくなる条件が得られないことがわかる。
【００３３】
図３に表したように、金属線の幅Ｗｓと開口率ＡＲ＝（１−Ｗｓ／Ｐｓ）２との関係は、一次関数ＤＦ１で表すことができる。一次関数ＤＦ１は、具体的には、Ｗｓ＝−７５０ＡＲ＋６７５である。図３において、一次関数ＤＦ１よりも左側の領域が、金属線の視認できない領域である。そして、一次関数ＤＦ１よりも右側の領域が、金属線の視認できる領域である。すなわち、幅Ｗｓ及びピッチＰｓが、Ｗｓ≦−７５０ＡＲ＋６７５の関係を満たすようにする。これにより、金属線を視認できなくすることができる。
【００３４】
第２電極２０において、各第１延在部２１の幅Ｗ１及びピッチＰ１が、Ｗ１≦−７５０ＡＲ＋６７５の関係を満たすようにする。より具体的には、Ｗ１≦−７５０（１−Ｗ１／Ｐ１）（１−Ｗ２／Ｐ２）＋６７５の関係を満たすようにする。そして、第２電極２０において、各第２延在部２２の幅Ｗ２及びピッチＰ２が、Ｗ２≦−７５０ＡＲ＋６７５の関係を満たすようにする。より具体的には、Ｗ２≦−７５０（１−Ｗ１／Ｐ１）（１−Ｗ２／Ｐ２）＋６７５の関係を満たすようにする。これにより、第２電極２０において、各第１延在部２１及び各第２延在部２２を視認できなくすることができる。
【００３５】
なお、実験結果を被験者の視力である１．５のままとした場合、一次関数ＤＦ１は、Ｗｓ＝−５００ＡＲ＋４５０である。この場合、各第１延在部２１の幅Ｗ１及びピッチＰ１が、Ｗ１≦−５００（１−Ｗ１／Ｐ１）（１−Ｗ２／Ｐ２）＋４５０の関係を満たすようにする。各第２延在部２２の幅Ｗ２及びピッチＰ２が、Ｗ２≦−５００（１−Ｗ１／Ｐ１）（１−Ｗ２／Ｐ２）＋４５０の関係を満たすようにする。これにより、第２電極２０において、各第１延在部２１及び各第２延在部２２を視認できなくすることができる。
【００３６】
あるいは、各第１延在部２１の幅Ｗ１および各第２延在部２１の幅Ｗ２が異なる場合において、幅Ｗ１または幅Ｗ２を、ｍａｘ(Ｗ１,Ｗ２)≦−７５０×(１−ｍａｘ(Ｗ１/Ｐ１,Ｗ２/Ｐ２))２＋６７５を満たすようにする。ここで、ｍａｘ（Ａ,Ｂ）はＡとＢのうち大きい方を指す。図２（ａ）〜図２（ｄ）に示すように、金属線の幅Ｗｓが小さい場合には、幅Ｗｓ大きい場合にくらべて金属線が視認されにくいためである。このような式を満たす場合においても、各第１延在部２１及び各第２延在部２２を視認できなくすることができる。
【００３７】
このように、金属パターン（第２電極２０）の視認性は、金属線の幅Ｗｓまたは金属線の間隔（Ｐｓ−Ｗｓ）だけでは決まらず、金属線の幅Ｗｓと開口率ＡＲとの両者に依存することを、実験結果より見出した。例えば、開口率ＡＲを小さくすることで、金属線が見え難くなることを見出した。金属線が見えるか否かの閾値の境界は、開口率ＡＲと金属線の幅Ｗｓとがなす平面において、おおよそ一次関数で表すことができる。
【００３８】
但し、上記の各関係式において、Ｗｓ、Ｐｓ、Ｗ１、Ｐ１、Ｗ２、及び、Ｐ２の単位は、それぞれマイクロメートルである。なお、本実施形態において、各第１延在部２１の幅Ｗ１が異なる場合（例えば設計誤差など）においては、隣り合う複数の第１延在部２１の幅Ｗ１の平均を上記の各関係式のＷ１とする。各第１延在部２１のピッチＰ１が異なる場合においては、隣り合う複数の第１延在部２１のピッチＰ１の平均を上記の各関係式のＰ１とする。各第２延在部２２の幅Ｗ２が異なる場合においては、隣り合う複数の第２延在部２２の幅Ｗ２の平均を上記の各関係式のＷ２とする。各第２延在部２２のピッチＰ２が異なる場合においては、隣り合う複数の第１延在部２２のピッチＰ２の平均を上記の各関係式のＰ２とする。
【００３９】
次に、本願発明者らは、上記の実験と同じ複数の試料を用い、各試料について透過像がぼけるか否かを実験した。実験では、観察対象物と被験者との間に試料を配置した。観察対象物と試料と被験者とは、ほぼ直線状に並べた。被験者は、試料の金属パターンの設けられた面に対して、ほぼ正対させた。観察対象物には、文字“ＡＢＣ”を用いた。試料と被験者との間の距離Ｌ１は、１ｍとした。実験では、各試料のそれぞれについて、観察対象物と試料との間の距離Ｌ２を変化させ、複数の距離Ｌ２で評価を行った。具体的には、距離Ｌ２を、０．６ｍ、１．２ｍ、１０ｍに変化させて評価を行った。実験において、被験者は、一人である。被験者の視力は、１．５である。透過像のぼけは視力に関係しないので、金属線の視認性の実験とは異なり、以下では、視力による補正を行っていない。
【００４０】
図４（ａ）〜図４（ｄ）は、実験結果の一例を示す表である。  
図４（ａ）は、金属線の幅Ｗｓを５０μｍとした各試料の評価結果を表す。図４（ｂ）は、金属線の幅Ｗｓを１００μｍとした各試料の評価結果を表す。図４（ｃ）は、金属線の幅Ｗｓを１５０μｍとした各試料の評価結果を表す。図４（ｄ）は、金属線の幅Ｗｓを２００μｍとした各試料の評価結果を表す。
【００４１】
図４（ａ）〜図４（ｄ）では、透過像のぼけ（透過像のムラ）が気にならなかった（ぼけが認識されなかった）試料に「◎」を付し、透過像のぼけが許容できる程度に認識された試料に「○」を付し、透過像のぼけが許容できない試料に「×」を付している。
【００４２】
図５（ａ）〜図５（ｃ）は、実験結果の一例を示すグラフ図である。  
図５（ａ）は、距離Ｌ２＝０．６ｍの実験結果をまとめたグラフ図である。  
図５（ｂ）は、距離Ｌ２＝１．２ｍの実験結果をまとめたグラフ図である。  
図５（ｃ）は、距離Ｌ２＝１０ｍの実験結果をまとめたグラフ図である。  
図５（ａ）〜図５（ｃ）に表したように、本願発明者らは、金属パターンを格子状のパターン形状とした場合には、許容できないほどの透過像のぼけが生じないことを実験により見出した。すなわち、第２電極２０を格子状にすることにより、透過像のぼけを抑制できることを、実験により見出した。
【００４３】
本実施形態に係る有機電界発光素子１１０では、格子状の第２電極２０において、各第１延在部２１の幅Ｗ１及びピッチＰ１が、Ｗ１≦−７５０（１−Ｗ１／Ｐ１）（１−Ｗ２／Ｐ２）＋６７５の関係を満たす。そして、各第２延在部２２の幅Ｗ２及びピッチＰ２が、Ｗ２≦−７５０（１−Ｗ１／Ｐ１）（１−Ｗ２／Ｐ２）＋６７５の関係を満たす。あるいは、幅Ｗ１と幅Ｗ２が異なる場合においては、ｍａｘ(Ｗ１,Ｗ２)≦−７５０×(１−ｍａｘ(Ｗ１/Ｐ１,Ｗ２/Ｐ２))２＋６７５の関係を満たす。これにより、第２電極２０において、各第１延在部２１及び各第２延在部２２を視認できなくすることができる。透過像のぼけを抑制できる。従って、透過像の視認性を高めることができる。
【００４４】
なお、各第１延在部２１の幅Ｗ１、及び、各第１延在部２１のピッチＰ１は、各第１延在部２１のそれぞれについて、必ずしも同じでなくてもよい。各第１延在部２１の幅Ｗ１及びピッチＰ１は、上記の関係を満足する範囲において、異なっていてもよい。各第２延在部２２の幅Ｗ２、及び、各第２延在部２２のピッチＰ２は、各第２延在部２２のそれぞれについて、必ずしも同じでなくてもよい。各第２延在部２２の幅Ｗ２及びピッチＰ２は、上記の関係を満足する範囲において、異なっていてもよい。
【００４５】
図６（ａ）及び図６（ｂ）は、第２電極の一例を表す模式的平面図である。  
図６（ａ）表したように、ストライプ状のパターン形状の第２電極２０では、延在部の一部に断線が生じた際に、断線箇所よりも先の部分が、非発光の領域となってしまう。
【００４６】
一方、図６（ｂ）に表したように、格子状のパターン形状の第２電極２０では、第１延在部２１の一部または第２延在部２２の一部に断線が生じた際にも、隣り合う第１延在部２１または第２延在部２２から断線箇所の先の部分にも電流を流すことができる。すなわち、断線箇所の先の部分も発光領域とすることができる。
【００４７】
このように、格子状の第２電極２０では、ストライプ状の第２電極２０に比べて、断線にともなう非発光領域の発生を抑えることもできる。例えば、有機電界発光素子１１０の信頼性を高めることができる。
【００４８】
図７は、第１の実施形態に係る有機電界発光素子の一部を表す模式的断面図である。  
図７に表したように、有機発光層３０は、第１層３１を含む。有機発光層３０は、必要に応じて、第２層３２及び第３層３３の少なくともいずれかをさらに含むことができる。第１層３１は、可視光の波長を含む光を放出する。第２層３２は、第１層３１と第１電極１０との間に設けられる。第３層３３は、第１層３１と第２電極２０との間に設けられる。
【００４９】
第１層３１には、例えば、Ａｌｑ３（トリス(８−ヒドロキシキノリノラト)アルミニウム）、Ｆ８ＢＴ（ポリ(9,9-ジオクチルフルオレン-ｃｏ-ベンゾチアジアゾール）及びＰＰＶ（ポリパラフェニレンビニレン）などの材料を用いることができる。第１層３１には、ホスト材料と、ホスト材料に添加されるドーパントと、の混合材料を用いることができる。ホスト材料としては、例えばＣＢＰ（4,4'−N,N'-ビスジカルバゾリルール−ビフェニル）、ＢＣＰ（2,9−ジメチル-4,7 ジフェニル−1,10−フェナントロリン）、ＴＰＤ（4,4'−ビス−N−3メチルフェニル−N−フェニルアミノビフェニル）、ＰＶＫ（ポリビニルカルバゾール）及びＰＰＴ（ポリ（３−フェニルチオフェン））などを用いることができる。ドーパント材料としては、例えば、Ｆｌｒｐｉｃ（イリジウム(III)ビス(4,6-ジ-フルオロフェニル)-ピリジネート-N,C2'-ピコリネート）、Ｉｒ（ｐｐｙ）３（トリス (２−フェニルピリジン)イリジウム）及びＦｌｒ６（ビス（２，４−ジフルオロフェニルピリジナト）−テトラキス（１−ピラゾリル）ボラート−イリジウム（ＩＩＩ））などを用いることができる。なお、第１層３１は、上記の材料に限定されない。なお、第１層は、これらの材料に限定されない。
【００５０】
第２層３２は、例えば、正孔注入層として機能する。正孔注入層は、例えば、ＰＥＤＰＯＴ：ＰＰＳ（ポリ(3,4- エチレンジオキシチオフェン)-ポリ(スチレンスルホン酸)）、ＣｕＰｃ(銅フタロシアニン)、及び、ＭｏＯ３（三酸化モリブデン）などの少なくともいずれかを含む。第２層３２は、例えば正孔輸送層として機能する。正孔輸送層は、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）、及び、ＴＣＴＡ（4，4'，4"−トリ（N− カルバゾリル）トリフェニルアミン）などの少なくともいずれかを含む。第２層３２は、例えば、正孔注入層として機能する層と、正孔輸送層として機能する層と、の積層構造を有しても良い。第２層３２は、正孔注入層として機能する層及び正孔輸送層として機能する層とは別の層を含んでも良い。なお、第２層は、これらの材料に限定されない。
【００５１】
第３層３３は、例えば電子注入層として機能する層を含むことができる。電子注入層は、例えば、フッ化リチウム、フッ化セシウム、及び、リチウムキノリン錯体などの少なくともいずれかを含む。第３層３３は、例えば、電子輸送層として機能する層を含むことができる。電子輸送層は、例えば、Ａｌｑ３（トリス（8キノリノラト）アルミニウム（III））、ＢＡｌｑ(ビス（２−メチル−８− キノリラト）(ｐ−フェニルフェノラート)アルミニウム)、Ｂｐｈｅｎ（バソフェナントロリン）、及び、３ＴＰＹＭＢ（トリス[３−(３−ピリジル)−メシチル]ボラン）などの少なくともいずれかを含む。第３層３３は、例えば、電子注入層として機能する層と、電子輸送層として機能する層と、の積層構造を有しても良い。第３層３３は、電子注入層として機能する層及び電子輸送層として機能する層とは別の層を含んでも良い。なお、第３層３３は、これらの材料に限定されない。
【００５２】
例えば、有機発光層３０から放出される光は、実質的に白色光である。すなわち、有機電界発光素子１１０から出射する光は白色光である。ここで、「白色光」は、実質的に白色であり、例えば、赤色系、黄色系、緑色系、青色系及び紫色系などの白色の光も含む。
【００５３】
第１電極１０は、例えば、Ｉｎ、Ｓｎ、Ｚｎ及びＴｉよりなる群から選択された少なくともいずれかの元素を含む酸化物を含む。第１電極１０には、例えば、酸化インジウム、酸化亜鉛、酸化錫、インジウム錫酸化物（ＩＴＯ：Indium Tin Oxide）膜、フッ素ドープ酸化錫（ＦＴＯ）、インジウム亜鉛酸化物を含む導電性ガラスを用いて作製された膜（例えばＮＥＳＡなど）、金、白金、銀、及び、銅などを用いることができる。第１電極１０は、例えば、陽極として機能する。なお、第１電極１０は、これらの材料に限定されない。
【００５４】
第２電極２０は、例えば、アルミニウム及び銀の少なくともいずれかを含む。例えば、第２電極２０には、アルミニウム膜が用いられる。さらに、第２電極２０として、銀とマグネシウムとの合金を用いても良い。この合金にカルシウムを添加しても良い。第２電極２０は、例えば、陰極として機能する。なお、第２電極２０は、これらの材料に限定されない。
【００５５】
または、第１電極１０を光反射性の電極と光透過性の電極（例えば透明電極）との積層構造とし、格子状にパターニングし、第２電極２０を光透過性の電極（例えば透明電極）としてもよい。これにより、トップエミッション型の有機電界発光素子１１０とすることが可能となる。
【００５６】
なお、第１電極１０を陰極とし、第２電極２０を陽極とし、第２層３２を電子注入層または電子輸送層として機能させ、第３層３３を正孔注入層または正孔輸送層として機能させてもよい。
【００５７】
第１電極１０の厚さ（Ｚ軸方向の長さ）は、例えば、１０ｎｍ以上５００ｎｍ以下である。より好ましくは、５０ｎｍ以上２００ｎｍ以下である。有機発光層３０の厚さは、例えば、５０ｎｍ以上５００ｎｍ以下である。第２電極２０（第１延在部２１及び第２延在部２２）の厚さは、例えば、１０ｎｍ以上３００ｎｍ以下である。第１延在部２１の幅Ｗ１（Ｘ軸方向の長さ）は、例えば、１μｍ以上５００μｍ以下である。各第１延在部２１のピッチＰ１は、例えば、２μｍ以上２０００μｍ以下である。より好ましくは、２μｍ以上２００μｍ以下である。第２延在部２２の幅Ｗ２（Ｙ軸方向の長さ）は、例えば、１μｍ以上５００μｍ以下である。各第２延在部２２のピッチＰ２は、例えば、２μｍ以上２０００μｍ以下である。より好ましくは、２μｍ以上２００μｍ以下である。
【００５８】
上記の数値範囲において、各第１延在部２１の幅Ｗ１及びピッチＰ１が、Ｗ１≦−７５０（１−Ｗ１／Ｐ１）（１−Ｗ２／Ｐ２）＋６７５の関係を満たし、かつ、各第２延在部２２の幅Ｗ２及びピッチＰ２が、Ｗ２≦−７５０（１−Ｗ１／Ｐ１）（１−Ｗ２／Ｐ２）＋６７５の関係を満たすようにする。あるいは、幅Ｗ１と幅Ｗ２が異なる場合においては、ｍａｘ(Ｗ１,Ｗ２)≦−７５０×(１−ｍａｘ(Ｗ１/Ｐ１,Ｗ２/Ｐ２))２＋６７５の関係を満たす。これにより、透過像の高い視認性を得ることができる。
【００５９】
図８（ａ）及び図８（ｂ）は、第１の実施形態に係る別の有機電界発光素子の一部を表す模式的平面図である。  
図８（ａ）に表したように、第２電極２０の開口部２０ａのＸ−Ｙ平面に投影した形状は、頂点部分の丸められた矩形状でもよい。  
図８（ｂ）に表したように、開口部２０ａのＸ−Ｙ平面に投影した形状は、円形でもよい。
【００６０】
このように、開口部２０ａの形状は、矩形状に限ることなく、例えば、円形、楕円形または他の多角形状でもよい。多角形において、頂点部分の丸められた形状でもよい。本願明細書において、「格子状」には、開口部が矩形状であるものの他、開口部が任意の形状であるものも含む。例えば、ハニカム状の形状なども、「格子状」に含むものとする。すなわち、第２電極２０のパターン形状は、ハニカム状などでもよい。第２電極２０は、Ｙ軸方向に延びＸ軸方向に並ぶ複数の部分と、Ｘ軸方向に延びＹ軸方向に並ぶ複数の部分と、を含んでいればよい。第１延在部２１及び第２延在部２２は、直線状に限ることなく、湾曲またはジグザグ状に屈曲していてもよい。すなわち、第１延在部２１は、Ｙ軸方向に延びる成分を有していればよい。第２延在部２２は、Ｘ軸方向に延びる成分を有していればよい。
【００６１】
図９は、第１の実施形態に係る別の有機電界発光素子を表す模式的断面図である。  
図９に表したように、有機電界発光素子１１１では、有機発光層３０が、複数の開口部３０ａを含む。複数の開口部３０ａのそれぞれは、例えば、Ｘ−Ｙ平面に投影したときに、第２電極２０の複数の開口部２０ａのそれぞれと重なる位置に配置される。開口部３０ａは、例えば、第１電極１０の一部を露呈させる。すなわち、有機電界発光素子１１１では、有機発光層３０が、第２電極２０と同じ格子状のパターン形状にパターニングされている。このように、有機発光層３０は、第１電極１０の全体の上に設けられていなくてもよい。有機発光層３０は、第１電極１０と第２電極２０との間に設けられた部分を少なくとも含んでいればよい。すなわち、有機発光層３０は、発光領域ＥＡとなる部分を少なくとも含んでいればよい。
【００６２】
図１０（ａ）〜図１０（ｃ）は、第１の実施形態に係る別の有機電界発光素子を表す模式図である。  
図１０（ａ）は、有機電界発光素子１１２の模式的断面図であり、図１０（ｂ）は、有機電界発光素子１１２の模式的平面図である。図１０（ａ）は、図１０（ｂ）のＢ１−Ｂ２線断面を模式的に表す。図１０（ｃ）は、有機電界発光素子１１２の一部をＸ−Ｙ平面に投影したときの投影像ＰＩＭ１を表す。  
図１０（ａ）〜図１０（ｃ）に表したように、有機電界発光素子１１２の積層体ＳＢは、配線層５０を、さらに含む。
【００６３】
配線層５０は、上面１０ａに対して平行な平面に沿って延在する。すなわち、配線層５０は、Ｘ−Ｙ平面内に延在する。この例において、配線層５０は、第１電極１０の上面１０ａの上に設けられる。配線層５０は、例えば、第１電極１０と有機発光層３０との間に設けられる。配線層５０は、第１電極１０の上面１０ａと反対側の面に設けてもよい。
【００６４】
配線層５０は、複数の第１配線部５１と、複数の第２配線部５２と、を含む。複数の第１配線部５１のそれぞれは、Ｙ軸方向に延び、Ｘ軸方向に並ぶ。複数の第２配線部５２のそれぞれは、Ｘ軸方向に延び、Ｙ軸方向に並び、複数の第１配線部５１のそれぞれと交差する。
【００６５】
各第１配線部５１は、例えば、Ｘ−Ｙ平面に投影したときに、各第１延在部２１と重ならない位置に配置される。各第１配線部５１は、Ｘ−Ｙ平面に投影したときに、各第１延在部２１と重なる位置に配置してもよい。各第１配線部５１のピッチは、例えば、各第１延在部２１のピッチと異なる。この例では、各第１配線部５１のそれぞれの間に、３つの第１延在部２１が設けられている。各第１配線部５１のピッチは、各第１延在部２１のピッチと実質的に同じでもよい。各第１配線部５１のピッチは、任意でよい。
【００６６】
各第２配線部５２は、例えば、Ｘ−Ｙ平面に投影したときに、各第２延在部２２と重ならない位置に配置される。各第２配線部５２は、Ｘ−Ｙ平面に投影したときに、各第２延在部２２と重なる位置に配置してもよい。各第２配線部５２のピッチは、例えば、各第２延在部２２のピッチと異なる。この例では、各第２配線部５２のそれぞれの間に、３つの第２延在部２２が設けられている。各第２配線部５２のピッチは、各第２延在部２２のピッチと実質的に同じでもよい。各第２配線部５２のピッチは、任意でよい。
【００６７】
配線層５０は、第１電極１０と電気的に接続される。配線層５０は、例えば、第１電極１０に接する。配線層５０の導電率は、第１電極１０の導電率よりも高い。配線層５０は、光反射性を有する。配線層５０の光反射率は、第１電極１０の光反射率よりも高い。配線層５０は、例えば、金属配線である。配線層５０は、例えば、第１電極１０に流れる電流を伝達する補助電極として機能する。これにより、有機電界発光素子１１２では、例えば、第１電極１０の上面１０ａと垂直な方向に流れる電流量を、有機電界発光素子１１０に比べて均一にできる。例えば、面内の発光輝度をより均一にできる。
【００６８】
図１０（ｃ）に表したように、有機電界発光素子１１２において、第２電極２０及び配線層５０をＸ−Ｙ平面に投影したときの投影像ＰＩＭ１は、複数の第１延在部２１のそれぞれの複数の投影像２１ｐと、複数の第２延在部２２のそれぞれの複数の投影像２２ｐと、複数の第１配線部５１のそれぞれの複数の投影像５１ｐと、複数の第２配線部５２のそれぞれの複数の投影像５２ｐと、を含む。投影像ＰＩＭ１は、すなわち、有機電界発光素子１１２の光反射性の部分の形状である。
【００６９】
この例では、幅Ｗ１が、各第１配線部５１の幅を含む。すなわち、この例において、幅Ｗ１は、複数の第１延在部２１のそれぞれのＸ軸方向の長さ、及び、複数の第１配線部５１のそれぞれのＸ軸方向の長さである。
【００７０】
この例では、幅Ｗ２が、各第２配線部５２の幅を含む。すなわち、この例において、幅Ｗ２は、複数の第２延在部２２のそれぞれのＹ軸方向の長さ、及び、複数の第２配線部５２のそれぞれのＹ軸方向の長さである。
【００７１】
この例において、ピッチＰ１は、複数の第１延在部２１のそれぞれの投影像２１ｐ及び複数の第１配線部５１のそれぞれの投影像５１ｐのそれぞれのピッチである。ピッチＰ１は、例えば、第１延在部２１の投影像２１ｐのＸ軸方向の中心と、第１配線部５１の投影像５１ｐのＸ軸方向の中心と、の間のＸ軸方向の最小の距離としてもよい。すなわち、ピッチＰ１は、例えば、投影像２１ｐと、これに最近接する投影像５１ｐと、のＸ軸方向の中心間の距離としてもよい。
【００７２】
この例において、ピッチＰ２は、複数の第２延在部２２のそれぞれの投影像２２ｐ及び複数の第２配線部５２のそれぞれの投影像５２ｐのそれぞれのピッチである。ピッチＰ２は、例えば、第２延在部２２の投影像２２ｐのＹ軸方向の中心と、第２配線部５２の投影像５２ｐのＸ軸方向の中心と、の間のＸ軸方向の最小の距離としてもよい。すなわち、ピッチＰ２は、例えば、投影像２２ｐと、これに最近接する投影像５２ｐと、のＹ軸方向の中心間の距離としてもよい。
【００７３】
この例では、複数の第１延在部２１のそれぞれ及び複数の第１配線部５１のそれぞれが、Ｗ１≦−７５０（１−Ｗ１／Ｐ１）（１−Ｗ２／Ｐ２）＋６７５の関係を満たす。そして、複数の第２延在部２２のそれぞれ及び複数の第２配線部５２のそれぞれが、Ｗ２≦−７５０（１−Ｗ１／Ｐ１）（１−Ｗ２／Ｐ２）＋６７５の関係を満たす。すなわち、有機電界発光素子１１２の光反射性の部分が、有機電界発光素子１１０で説明した幅及びピッチの関係性を満たす。あるいは、幅Ｗ１と幅Ｗ２が異なる場合においては、ｍａｘ(Ｗ１,Ｗ２)≦−７５０×(１−ｍａｘ(Ｗ１/Ｐ１,Ｗ２/Ｐ２))２＋６７５の関係を満たす。
【００７４】
これにより、有機電界発光素子１１２においても、透過像の高い視認性を得ることができる。但し、上記の関係式においても、Ｗ１、Ｗ２、Ｐ１及びＰ２のそれぞれの単位は、マイクロメートルである。
【００７５】
配線層５０は、例えば、Ｍｏ、Ｔａ、Ｎｂ、Ａｌ、Ｎｉ及びＴｉよりなる群から選択された、少なくともいずれかの元素を含む。配線層５０は、例えば、この群から選択された元素を含む混合膜とすることができる。配線層５０は、それらの元素を含む積層膜とすることができる。配線層５０には、例えばＮｂ／Ｍｏ／Ａｌ／Ｍｏ／Ｎｂの積層膜を用いることができる。配線層５０は、例えば、第１電極１０の電位降下を抑制する補助電極として機能する。配線層５０は、電流供給のためのリード電極として機能することができる。なお、配線層５０は、これらの材料に限定されない。
【００７６】
図１１（ａ）及び図１１（ｂ）は、第１の実施形態に係る別の有機電界発光素子を表す模式図である。  
図１１（ａ）は、有機電界発光素子１２１の模式的断面図であり、図１１（ｂ）は、有機電界発光素子１２１の模式的平面図である。図１１（ａ）は、図１１（ｂ）のＣ１−Ｃ２線断面である。  
図１１（ａ）及び図１１（ｂ）に表したように、有機電界発光素子１２１では、第２電極２０が、有機発光層３０の上に設けられる。例えば、第２電極２０が、有機発光層３０の全体の上に設けられる。この例において、第２電極２０は、光透過性を有する。第２電極２０は、例えば、透明である。
【００７７】
これにより、有機電界発光素子１２１では、第１電極１０と第２電極２０とを用いて有機発光層３０に電流を流すと、発光領域ＥＡから発せられた発光ＥＬが、第１電極１０を介して有機電界発光素子１２１の外部に出射するとともに、第２電極２０を介して有機電界発光素子１２１の外部に出射する。すなわち、有機電界発光素子１２１は、両面発光型である。
【００７８】
有機電界発光素子１２１において、積層体ＳＢは、絶縁層４０と、第１配線層６０と、をさらに含む。
【００７９】
絶縁層４０は、光透過性である。絶縁層４０は、例えば、透明である。絶縁層４０は、例えば、第１電極１０と有機発光層３０との間に設けられる。絶縁層４０は、例えば、絶縁部４０ａと、複数の開口部４０ｂと、を含む。複数の開口部４０ｂのそれぞれは、Ｘ軸方向及びＹ軸方向に二次元マトリクス状に並べて配置されている。この例において、絶縁層４０のパターン形状は、格子状である。絶縁層４０の厚さは、例えば１μｍ以上１００μｍ以下である。
【００８０】
複数の開口部４０ｂのそれぞれは、第１電極１０の一部を露呈させる。有機発光層３０は、第１電極１０のうちの各開口部４０ｂのそれぞれに露呈された部分と電気的に接続される。すなわち、この例では、有機発光層３０のうちの第１電極１０の開口部４０ｂに露呈された部分と第２電極２０との間の部分が、発光領域ＥＡとなる。
【００８１】
第１配線層６０は、第１電極１０と絶縁層４０との間に設けられる。第１配線層６０は、複数の第１配線部６１と、複数の第２配線部６２と、を含む。複数の第１配線部６１のそれぞれは、Ｙ軸方向に延び、Ｘ軸方向に並ぶ。複数の第２配線部６２のそれぞれは、Ｘ軸方向に延び、Ｙ軸方向に並び、複数の第１配線部６１のそれぞれと交差する。
【００８２】
第１配線層６０は、第１電極１０と電気的に接続される。第１配線層６０の導電率は、第１電極１０の導電率よりも高い。第１配線層６０は、有機電界発光素子１１２に関して説明した配線層５０と同様に、第１電極１０に流れる電流を伝達する補助電極として機能する。
【００８３】
この例では、複数の第１配線部６１のそれぞれのＸ軸方向の長さをＷ１（マイクロメートル）とする。複数の第１配線部６１のそれぞれのピッチをＰ１（マイクロメートル）とする。複数の第２配線部６２のそれぞれのＹ軸方向の長さをＷ２（マイクロメートル）とする。複数の第２配線部６２のそれぞれのピッチをＰ２（マイクロメートル）とする。
【００８４】
有機電界発光素子１２１では、幅Ｗ１とピッチＰ１とが、Ｗ１≦−７５０（１−Ｗ１／Ｐ１）（１−Ｗ２／Ｐ２）＋６７５の関係を満たす。そして、幅Ｗ２とピッチＰ２とが、Ｗ２≦−７５０（１−Ｗ１／Ｐ１）（１−Ｗ２／Ｐ２）＋６７５の関係を満たす。あるいは、幅Ｗ１と幅Ｗ２が異なる場合においては、ｍａｘ(Ｗ１,Ｗ２)≦−７５０×(１−ｍａｘ(Ｗ１/Ｐ１,Ｗ２/Ｐ２))２＋６７５の関係を満たす。
【００８５】
これにより、有機電界発光素子１２１においても、透過像の高い視認性を得ることができる。
【００８６】
光透過性の第２電極２０には、例えば、第１電極１０に関して説明した材料を用いることができる。また、光透過性の第２電極２０は、例えば、ＭｇＡｇなどの金属材料でもよい。金属材料において、例えば、第２電極２０の厚さを５ｎｍ以上２０ｎｍ以下とする。これにより、適切な光透過性を得ることができる。なお、光透過性の第２電極２０は、これらの材料に限定されない。
【００８７】
絶縁層４０には、例えば、ポリイミド樹脂、アクリル樹脂などの絶縁性の樹脂材料や、シリコン酸化膜（例えばＳｉＯ２）、シリコン窒化膜（例えばＳｉＮ）、または、シリコン酸窒化膜などの絶縁性の無機材料が用いられる。なお、絶縁層４０は、これらの材料に限定されない。
【００８８】
図１２（ａ）〜図１２（ｃ）は、第１の実施形態に係る別の有機電界発光素子を表す模式図である。  
図１２（ａ）は、有機電界発光素子１２２の模式的断面図である。図１２（ｂ）は、有機電界発光素子１２２の模式的平面図である。図１２（ａ）は、図１２（ｂ）のＤ１−Ｄ２線断面である。  
図１２（ｃ）は、有機電界発光素子１２２の一部をＸ−Ｙ平面に投影したときの投影像ＰＩＭ２を表す。  
図１２（ａ）〜図１２（ｃ）に表したように、有機電界発光素子１２２の積層体ＳＢは、第２配線層７０を、さらに含む。
【００８９】
第２配線層７０は、第２電極２０の上に設けられる。第２配線層７０は、複数の第３配線部７３と、複数の第４配線部７４と、を含む。複数の第３配線部７３のそれぞれは、Ｙ軸方向に延び、Ｘ軸方向に並ぶ。複数の第４配線部７４のそれぞれは、Ｘ軸方向に延び、Ｙ軸方向に並び、複数の第３配線部７３のそれぞれと交差する。この例において、第２配線層７０のパターン形状は、格子状である。
【００９０】
この例において、複数の第３配線部７３のそれぞれは、Ｘ−Ｙ平面に投影したときに、複数の第１配線部６１のそれぞれと重ならない位置に配置される。複数の第３配線部７３のそれぞれは、例えば、Ｘ−Ｙ平面に投影したときに、複数の第１配線部６１のそれぞれと重なる位置に配置してもよい。
【００９１】
この例において、複数の第４配線部７４のそれぞれは、Ｘ−Ｙ平面に投影したときに、複数の第２配線部６２のそれぞれと重ならない位置に配置される。複数の第４配線部７４のそれぞれは、例えば、Ｘ−Ｙ平面に投影したときに、複数の第２配線部６２のそれぞれと重なる位置に配置してもよい。
【００９２】
第２配線層７０は、第２電極２０と電気的に接続される。第２配線層７０は、例えば、第２電極２０に接する。第２配線層７０の導電率は、第２電極２０の導電率よりも高い。第２配線層７０は、光反射性を有する。第２配線層７０の光反射率は、第２電極２０の光反射率よりも高い。第２配線層７０は、例えば、金属配線である。第２配線層７０は、例えば、第２電極２０に流れる電流を伝達する補助電極として機能する。これにより、有機電界発光素子１２２では、例えば、第２電極２０のＺ軸方向に流れる電流量をより均一にできる。例えば、面内の発光輝度をより均一にできる。
【００９３】
図１２（ｃ）に表したように、有機電界発光素子１２２において、第１配線層６０及び第２配線層７０をＸ−Ｙ平面に投影したときの投影像ＰＩＭ２は、複数の投影像６１ｐと、複数の投影像６２ｐと、複数の投影像７３ｐと、複数の投影像７４ｐと、を含む。各投影像６１ｐは、各第１配線部６１の投影像である。各投影像６２ｐは、各第２配線部６２の投影像である。各投影像７３ｐは、各第３配線部７３の投影像である。各投影像７４ｐは、各第４配線部７４の投影像である。
【００９４】
この例では、複数の第１配線部６１のそれぞれのＸ軸方向の長さ、及び、複数の第３配線部７３のそれぞれのＸ軸方向の長さを、幅Ｗ１（マイクロメートル）とする。複数の第２配線部６２のそれぞれのＹ軸方向の長さ、及び、複数の第４配線部７４のそれぞれのＹ軸方向の長さを、幅Ｗ２（マイクロメートル）とする。複数の投影像６１ｐ及び複数の投影像７３ｐのそれぞれのピッチを、ピッチＰ１（マイクロメートル）とする。複数の投影像６２ｐ及び複数の投影像７４ｐのそれぞれのピッチを、ピッチＰ２（マイクロメートル）とする。
【００９５】
ピッチＰ１は、例えば、第１配線部６１の投影像６１ｐのＸ軸方向の中心と、第３配線部７３の投影像７３ｐのＸ軸方向の中心と、の間のＸ軸方向の最小の距離としてもよい。すなわち、ピッチＰ１は、例えば、投影像６１ｐと、これに最近接する投影像７３ｐと、のＸ軸方向の中心間の距離としてもよい。
【００９６】
ピッチＰ２は、例えば、第２配線部６２の投影像６２ｐのＹ軸方向の中心と、第４配線部７４の投影像７４ｐのＹ軸方向の中心と、の間のＹ軸方向の最小の距離としてもよい。すなわち、ピッチＰ２は、例えば、投影像６２ｐと、これに最近接する投影像７４ｐと、のＹ軸方向の中心間の距離としてもよい。
【００９７】
有機電界発光素子１２２では、複数の第１配線部６１のそれぞれ及び複数の第３配線部７３のそれぞれが、Ｗ１≦−７５０（１−Ｗ１／Ｐ１）（１−Ｗ２／Ｐ２）＋６７５の関係を満たす。そして、複数の第２配線部６２のそれぞれ及び複数の第４配線部７４のそれぞれが、Ｗ２≦−７５０（１−Ｗ１／Ｐ１）（１−Ｗ２／Ｐ２）＋６７５の関係を満たす。あるいは、幅Ｗ１と幅Ｗ２が異なる場合においては、ｍａｘ(Ｗ１,Ｗ２)≦−７５０×(１−ｍａｘ(Ｗ１/Ｐ１,Ｗ２/Ｐ２))２＋６７５の関係を満たす。
【００９８】
これにより、有機電界発光素子１２２においても、透過像の高い視認性を得ることができる。なお、第１配線層６０及び第２配線層７０には、例えば、配線層５０に関して説明した材料と実質的に同じ材料を用いることができる。
【００９９】
図１３（ａ）及び図１３（ｂ）は、第１の実施形態に係る別の有機電界発光素子を表す模式図である。  
図１３（ａ）は、有機電界発光素子１２３の模式的断面図であり、図１３（ｂ）は、有機電界発光素子１２３の模式的平面図である。図１３（ａ）は、図１３（ｂ）のＥ１−Ｅ２線断面である。  
図１３（ａ）及び図１３（ｂ）に表したように、有機電界発光素子１２３では、積層体ＳＢが、配線層８０をさらに含む。配線層８０は、第２電極２０の上に設けられる。配線層８０は、複数の第１配線部８１と、複数の第２配線部８２と、を含む。複数の第１配線部８１のそれぞれは、Ｙ軸方向に延び、Ｘ軸方向に並ぶ。複数の第２配線部８２のそれぞれは、Ｘ軸方向に延び、Ｙ軸方向に並び、複数の第１配線部８１のそれぞれと交差する。この例において、配線層８０のパターン形状は、格子状である。
【０１００】
配線層８０は、第２電極２０と電気的に接続される。配線層８０の導電率は、第２電極２０の導電率よりも高い。配線層８０は、有機電界発光素子１２２に関して説明した第２配線層７０と同様に、第２電極２０に流れる電流を伝達する補助電極として機能する。
【０１０１】
この例では、複数の第１配線部８１のそれぞれのＸ軸方向の長さをＷ１（マイクロメートル）とする。複数の第１配線部８１のそれぞれのピッチをＰ１（マイクロメートル）とする。複数の第２配線部８２のそれぞれのＹ軸方向の長さをＷ２（マイクロメートル）とする。複数の第２配線部８２のそれぞれのピッチをＰ２（マイクロメートル）とする。
【０１０２】
有機電界発光素子１２３では、幅Ｗ１とピッチＰ１とが、Ｗ１≦−７５０（１−Ｗ１／Ｐ１）（１−Ｗ２／Ｐ２）＋６７５の関係を満たす。そして、幅Ｗ２とピッチＰ２とが、Ｗ２≦−７５０（１−Ｗ１／Ｐ１）（１−Ｗ２／Ｐ２）＋６７５の関係を満たす。あるいは、幅Ｗ１と幅Ｗ２が異なる場合においては、ｍａｘ(Ｗ１,Ｗ２)≦−７５０×(１−ｍａｘ(Ｗ１/Ｐ１,Ｗ２/Ｐ２))２＋６７５の関係を満たす。
【０１０３】
これにより、有機電界発光素子１２３においても、透過像の高い視認性を得ることができる。なお、配線層８０には、例えば、配線層５０に関して説明した材料と実質的に同じ材料を用いることができる。
【０１０４】
図１４は、第１の実施形態に係る別の有機電界発光素子を表す模式的断面図である。  
図１４に表しように、有機電界発光素子１３０は、第１基板９１と、第２基板９２と、シール部９５と、をさらに含む。  
第１電極１０は、第１基板９１の上に設けられる。積層体ＳＢは、第１基板９１の上に設けられる。第１基板９１は、光透過性を有する。第２基板９２は、積層体ＳＢの上に設けられ、第１基板９１と対向する。第２基板９２は、光透過性を有する。この例において、積層体ＳＢの構成は、有機電界発光素子１１０に関して説明した構成と同じである。積層体ＳＢの構成は、有機電界発光素子１１１〜１１２、１２１〜１２３に関して説明した構成でもよい。
【０１０５】
シール部９５は、例えば、第１基板９１及び第２基板９２の外縁に沿って環状に設けられ、第１基板９１と第２基板９２とを接着する。これにより、第１基板９１と第２基板９２とによって、積層体ＳＢが封止される。有機電界発光素子１３０では、第１基板９１と第２基板９２との間のＺ軸方向の距離をシール部９５によって規定している。この構成は、例えば、シール部９５に粒状のスペーサ（図示は省略）を含めることによって実現できる。例えば、シール部９５に粒状の複数のスペーサを分散させ、複数のスペーサの径によって、第１基板９１と第２基板９２との間の距離が規定される。
【０１０６】
有機電界発光素子１３０において、シール部９５の厚さ（Ｚ軸方向に沿う長さ）は、例えば、１μｍ以上１００μｍ以下である。より好ましくは、例えば、５μｍ以上２０μｍ以下である。これにより、例えば、水分の浸入などを抑えることができる。シール部９５の厚さは、例えば、シール部９５に分散させるスペーサの径と実質的に同じである。
【０１０７】
有機電界発光素子において、第２基板９２に積層体ＳＢを収容する凹部を設ける構成がある。この構成では、第２基板９２の形成が難しくなる。例えば、有機電界発光素子のコストアップを招く。
【０１０８】
これに対して、本実施形態に係る有機電界発光素子１３０では、第１基板９１と第２基板９２との間の距離をシール部９５で規定している。これにより、例えば、平板状の第２基板９２を用いることができる。例えば、第２基板９２の形成を容易にできる。有機電界発光素子１３０のコストアップを抑えることができる。
【０１０９】
積層体ＳＢと第２基板９２との間の空間には、例えば、不活性ガスなどが充填される。積層体ＳＢと第２基板９２との間に、乾燥剤などを設けてもよい。積層体ＳＢと第２基板９２との間の空間は、例えば、空気層でもよい。積層体ＳＢと第２基板９２との間の空間の真空度を高めてもよい。積層体ＳＢと第２基板９２との間の空間には、例えば、液状のアクリル系樹脂やエポキシ系樹脂などを充填してもよい。アクリル系樹脂やエポキシ系樹脂には乾燥材として酸化カルシウムや酸化バリウムなどを添加させてもよい。
【０１１０】
第１基板９１及び第２基板９２には、例えば、ガラス基板、または、樹脂基板などが用いられる。シール部９５には、例えば、紫外線硬化樹脂などが用いられる。なお、積層体ＳＢは第２電極２０を第１基板９１の上に設け、有機発光層３０を第２電極２０を介して第１基板９１と対向させるような構成としても良い。
【０１１１】
（第２の実施形態）  
図１５は、第２の実施形態に係る照明装置を表す模式図である。  
図１５に表したように、本実施形態に係る照明装置２１０は、第１の実施形態に係る有機電界発光素子（例えば有機電界発光素子１３０）と、電源部２０１と、を備える。
【０１１２】
電源部２０１は、第１電極１０と第２電極２０とに電気的に接続される。電源部２０１は、第１電極１０及び第２電極２０を介して有機発光層３０に電流を供給する。  
本実施形態に係る照明装置２１０によれば、透過像の視認性の高い照明装置を提供できる。
【０１１３】
（第３の実施形態）  
図１６（ａ）及び図１６（ｂ）は、第３の実施形態に係る照明システムを表す模式図である。  
図１６（ａ）に表したように、本実施形態に係る照明システム３１１は、第１の実施形態に係る複数の有機電界発光素子（例えば有機電界発光素子１３０）と、制御部３０１と、を備える。
【０１１４】
制御部３０１は、複数の有機電界発光素子１３０のそれぞれと電気的に接続され、複数の有機電界発光素子１３０のそれぞれの点灯・消灯を制御する。制御部３０１は、例えば、複数の有機電界発光素子１３０のそれぞれの第１電極１０及び第２電極２０と電気的に接続される。これにより、制御部３０１は、複数の有機電界発光素子１３０のそれぞれの点灯・消灯を個別に制御する。
【０１１５】
図１６（ｂ）に表したように、照明システム３１２では、複数の有機電界発光素子１３０のそれぞれが、直列に接続されている。制御部３０１は、複数の有機電界発光素子１３０のうちの１つの有機電界発光素子１３０の第１電極１０と電気的に接続される。そして、制御部３０１は、複数の有機電界発光素子１３０のうちの別の１つの有機電界発光素子１３０の第２電極２０と電気的に接続される。これにより、制御部３０１は、複数の有機電界発光素子１３０のそれぞれの点灯・消灯をまとめて制御する。このように、制御部３０１は、複数の有機電界発光素子１３０のそれぞれの点灯・消灯を個別に制御してもよいし、まとめて制御してもよい。  
本実施形態に係る照明システム３１１、３１２によれば、透過像の視認性の高い照明システムを提供できる。
【０１１６】
実施形態によれば、透過像の視認性の高い有機電界発光素子、照明装置及び照明システムが提供される。
【０１１７】
なお、本願明細書において、「垂直」及び「平行」は、厳密な垂直及び厳密な平行だけではなく、例えば製造工程におけるばらつきなどを含むものであり、実質的に垂直及び実質的に平行であれは良い。
【０１１８】
以上、具体例を参照しつつ、本発明の実施の形態について説明した。しかし、本発明の実施形態は、これらの具体例に限定されるものではない。例えば、有機電界発光素子に含まれる、第１電極、第２電極、有機発光層、配線層、第１配線層、第２配線層、並びに、照明装置に含まれる電源部、照明システムに含まれる制御部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１１９】
その他、本発明の実施の形態として上述した有機電界発光素子、照明装置及び照明システムを基にして、当業者が適宜設計変更して実施し得る全ての有機電界発光素子、照明装置及び照明システムも、本発明の要旨を包含する限り、本発明の範囲に属する。
【０１２０】
その他、本発明の思想の範疇において、当業者であれば、各種の変更例及び修正例に想到し得るものであり、それら変更例及び修正例についても本発明の範囲に属するものと了解される。
【０１２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２２】
１０…第１電極、  １０ａ…上面、  ２０…第２電極、  ２０ａ…開口部、  ２１…第１延在部、  ２２…第２延在部、  ３０…有機発光層、  ４０…絶縁層、  ４０ａ…絶縁部、  ４０ｂ…開口部、  ５０…配線層、  ５１…第１配線部、  ５２…第２配線部、  ６０…第１配線層、  ６１…第１延在部、  ６２…第２延在部、  ７０…第２配線層、  ７３…第３配線部、  ７４…第４配線部、  ８０…配線層、  ８１…第１配線部、  ８２…第２配線部、  ９１…第１基板、  ９２…第２基板、  ９５…シール部、  １１０〜１１２、１２１〜１２３、１３０…有機電界発光素子、  ２０１…電源部、  ２１０…照明装置、  ３０１…制御部、  ３１１、３１２…照明システム、  ＳＢ…積層体
【図１】
0005584319.tif 000002
【図２】
0005584319.tif 000003
【図３】
0005584319.tif 000004
【図４】
0005584319.tif 000005
【図５】
0005584319.tif 000006
【図６】
0005584319.tif 000007
【図７】
0005584319.tif 000008
【図８】
0005584319.tif 000009
【図９】
0005584319.tif 000010
【図１０】
0005584319.tif 000011
【図１１】
0005584319.tif 000012
【図１２】
0005584319.tif 000013
【図１３】
0005584319.tif 000014
【図１４】
0005584319.tif 000015
【図１５】
0005584319.tif 000016
【図１６】
0005584319.tif 000017